(57)【特許請求の範囲】
【請求項１】
床面上の所定の高さ位置に配設された玩具吊下げ用のレール部（２４）と、その両端部においてレール部（２４）を支承する脚部（２２，２３）とから構成され、レール部（２４）にミラー玩具（１）が取り付けられた乳幼児用遊戯具（２０）において、
ミラー玩具（１）が、
第１のミラー（２）を保持する第１の保持体（３）と、
第１の保持体（３）に対して支軸部（６）を介して回動自在に設けられ、第２のミラー（４）を保持する第２の保持体（５）と、
第２の保持体（５）に設けられるとともに、第１、第２の保持体（３，５）の回動時に第１の保持体（３）の切欠き（３ｂ）に干渉して第１、第２の保持体（３，５）の回動角を所定の角度に制限するストッパ部（５ｃ）と、
第１、第２の保持体（３，５）のいずれか一方のミラー保持面と逆側の面において、支軸部（６）と直交する方向に沿って所定間隔を隔てて配設された２つの係止部（７，８）と、
係止部（７）に係止された吊りベルト（１０）とから構成されており、
ミラー玩具（１）の第１、第２の保持体（３，５）を所定の角度に回動させて、吊りベルト（１０）の先端を乳幼児用遊戯具（２０）のレール部（２４）の係止部（３６）に取り付けた状態で、吊りベルト（１０）の中間部分を係止部（８）に係止させることにより、ミラー玩具（１）の第１、第２のミラー（２，４）の傾斜状態が変化するようになっている、
ことを特徴とする乳幼児用遊戯具。
【発明の詳細な説明】
【０００１】
【発明の属する技術分野】
本発明は、乳幼児用のミラー玩具および遊戯具に関する。
【０００２】
【従来の技術およびその課題】
乳幼児用の玩具として、従来よりミラー玩具が用いられている。一般に、ミラー玩具は、乳幼児がミラーに映る自分の姿を見つけることで、自分の発見・認識および空間の広がりを学習することができる玩具である。従来のミラー玩具は、単一のミラーを保持する概略円板状の保持体からなり、該保持体には、吊りベルトを取り付けるための通し穴が形成されている。
【０００３】
乳幼児は、このようなミラー玩具を直接手に持って遊んだり、プレイジムに吊りベルトを介して吊り下げられたミラー玩具に手を伸ばして触れることにより遊ぶ。ここで、プレイジムとは、床面上の所定の高さ位置に配設された玩具吊下げ用のレール部材と、その両端部に配置されたレール部材支承用の脚部材とから構成される乳幼児用の遊戯具である。
【０００４】
しかしながら、従来のミラー玩具においては、プレイジムのレール部材に吊り下げられたときに、ミラー面が床面に対してほぼ垂直に配置されるようになっているので、乳幼児がとくに仰臥姿勢におかれている場合には、ミラーに自分の姿を映し出すことが難しく、ミラーを用いた遊びを十分に行うことができない。
【０００５】
本発明は、このような従来の実情に鑑みてなされたもので、仰臥姿勢の乳幼児であっても、ミラーを用いた遊びを十分に行うことができるミラー玩具および乳幼児用遊戯具を提供することを目的とする。
【０００６】
【課題を解決するための手段】
本発明に係る乳幼児用遊戯具は、床面上の所定の高さ位置に配設された玩具吊下げ用のレール部（２４）と、その両端部においてレール部（２４）を支承する脚部（２２，２３）とから構成され、レール部（２４）にミラー玩具（１）が取り付けられた乳幼児用遊戯具（２０）である。ミラー玩具（１）は、第１のミラー（２）を保持する第１の保持体（３）と、第１の保持体（３）に対して支軸部（６）を介して回動自在に設けられ、第２のミラー（４）を保持する第２の保持体（５）と、第２の保持体（５）に設けられるとともに、第１、第２の保持体（３，５）の回動時に第１の保持体（３）の切欠き（３ｂ）に干渉して第１、第２の保持体（３，５）の回動角を所定の角度に制限するストッパ部（５ｃ）と、第１、第２の保持体（３，５）のいずれか一方のミラー保持面と逆側の面において、支軸部（６）と直交する方向に沿って所定間隔を隔てて配設された２つの係止部（７，８）と、係止部（７）に係止された吊りベルト（１０）とから構成されている。そして、ミラー玩具（１）の第１、第２の保持体（３，５）を所定の角度に回動させて、吊りベルト（１０）の先端を乳幼児用遊戯具（２０）のレール部（２４）の係止部（３６）に取り付けた状態で、吊りベルト（１０）の中間部分を係止部（８）に係止させることにより、ミラー玩具（１）の第１、第２のミラー（２，４）の傾斜状態が変化するようになっている。
【０００７】
本発明に係るミラー玩具を用いて乳幼児を遊ばせる際には、第１，第２の保持体をストッパ部が作動するまで回動させ、ある所定の角度をなすように開いた状態で、いずれかの係止部に吊りベルトを係止させる。なお、吊りベルトの上端は、床面上に配置されたプレイジムのレール部材等に取り付けられる。
【０００８】
このとき、第１，第２の保持体の各ミラーは、床面に対して傾斜した状態におかれる。この状態では、床面上で仰臥姿勢にある乳幼児は、たとえば第１の保持体の第１のミラーに映る自分の顔を見ることができると同時に、第２の保持体の第２のミラーを通して、自分の背後にいる母親の顔を見ることができる。
【０００９】
このようにして、床面上で仰臥姿勢にある乳幼児であっても、ミラーを用いた遊びを十分に行うことができるようになる。
【００１０】
また、吊りベルトを他の係止部に係止させた場合には、第１，第２の保持体の各ミラーが上記傾斜状態とは異なった傾斜状態におかれるので、床面上で座った状態にある乳幼児が、同様に、第１の保持体の第１のミラーに映る自分の顔を見ることができると同時に、第２の保持体の第２のミラーを通して、自分の背後にいる母親の顔を見ることができる。
【００１１】
【発明の実施の形態】
以下、本発明の実施態様を添付図面に基づいて説明する。
図１ないし図８は本発明の一実施態様によるミラー玩具を説明するための図であって、図１は開状態のミラー玩具の正面図、図２はその背面図、図３および図４はその側面断面図、図５は閉状態のミラー玩具の側面図、図６はミラー玩具をプレイジムに吊り下げた状態を示す全体斜視図、図７および図８は本実施態様の作用効果を説明するための図である。
【００１２】
図１および図２に示すように、ミラー玩具１は、ミラー２を保持する略円板状の第１の保持体３と、第１の保持体３に隣接して配置され、ミラー４を保持する略円板状の第２の保持体５とから主として構成されている。各ミラー２，４は、それぞれ第１，第２の保持体３，５に形成された凹部３ａ，５ａ内に嵌め込まれている（図３，図４参照）。
【００１３】
第２の保持体５には突起部５ｂが設けられており、第１の保持体３には、該突起部５ｂが挿入される切欠き３ｂが形成されている。また第１の保持体３は、切欠き３ｂ内に突出する支軸部６，６を有している。各支軸部６，６は、第２の保持体５の突起部５ｂに形成された小孔部５ｃ，５ｃ内に係合している。この構成により、第１，第２の保持体３，５が支軸部６，６の回りを回動自在になっており、ミラー玩具１が図１ないし図４に示すような開状態と、図５に示すような閉状態とをとり得るようになっている。
【００１４】
第１の保持体３の背面側には、吊りベルト１０（図３，図４）を挿入するためのベルト通し７と、吊りベルト１０の両側縁部を係止するための係止フック８とがそれぞれ設けられている。ベルト通し７および係止フック８は所定の間隔を隔てて配置されている。なお、通常の取付状態では、吊りベルト１０は、ベルト通し７に挿入されることにより第１の保持体３に取り付けられている（図３参照）。
【００１５】
突起部５ｂには、図３に示すようなストッパ部５ｃが形成されている。このストッパ部５ｃは、第１，第２の保持体３，５が所定の角度開いたときに切欠き３ｂ内に干渉することにより、第１，第２の保持体３，５の回動角を所定の角度に制限するためのものである。
【００１６】
上述のように構成されるミラー玩具１を用いて乳幼児を遊ばせる際には、第１，第２の保持体３，５をストッパ部５ｃが作動するまで回動させ、ある所定の角度をなすように開いた状態で、吊りベルト１０の上端をたとえばプレイジムに取り付ける（図６参照）。
【００１７】
ここで、図６に示されるプレイジム２０について簡単に説明する。
プレイジム２０は、左右一対の脚部２２，２３と、その上方に配置され、脚部２２，２３により支承されるレール部２４とを有している。脚部２２は一対の縦フレーム２５，２５と、これらを連結する横フレーム２６とから構成されており、脚部２３は一対の縦フレーム２７，２７と、これらを連結する横フレーム２８とから構成されている。縦フレーム２５，２５の各上端部はジョイント部２９により、縦フレーム２７，２７の各上端部はジョイント部３０によりそれぞれ連結されており、レール部２４の両端は各ジョイント部２９，３０に連結されている。
【００１８】
レール部２４には、玩具を吊り下げるための係止部３５，３６が設けられている。係止部３５には人形４０が、係止部３６には、吊りベルト１０を介してミラー玩具１が吊り下げられる。このとき、ミラー玩具１の第１，第２の保持体３，５の各ミラー２，４は、床面に対して傾斜した状態におかれている。
【００１９】
ミラー玩具１をレール部２４に吊り下げたとき、吊りベルト１０の下端がベルト通し７にのみ係止している場合には（図３参照）、床面上で仰臥姿勢にある乳幼児Ｂに対して、各ミラー２，４が図７に示すような位置関係に配置される。
【００２０】
このとき、乳幼児Ｂは、第１の保持体３のミラー２に映る自分の顔を見ることができると同時に、自分の背後にいる母親Ｍの顔を第２の保持体５のミラー４を通して見ることができる。
このようにして、床面上で仰臥姿勢にある乳幼児であっても、ミラーを用いた遊びを十分に行うことができるようになる。
【００２１】
また、ミラー玩具１をレール部２４に吊り下げたとき、吊りベルト１０の下端がベルト通し７に係止しかつ係止フック８に係止している場合には（図４参照）、床面上で座った状態の乳幼児Ｂに対して、各ミラー２，４が図８に示すような位置関係に配置される。
【００２２】
このとき、乳幼児Ｂは、同様に、第１の保持体３のミラー２に映る自分の顔を見ることができると同時に、自分の背後にいる母親Ｍの顔を第２の保持体５のミラー４を通して見ることができる。
【００２３】
【発明の効果】
以上のように、本発明によれば、それぞれミラーを保持する回動自在な第１，第２の保持体と、いずれか一方の保持体のミラー保持面と逆側の面において支軸部と直交する方向に沿って所定間隔を隔てて配設された２つの係止部と、一方の係止部に係止された吊りベルトとからミラー玩具が構成されるので、吊りベルトの係止位置を適宜変えてやることにより、仰臥姿勢にある乳幼児であっても、ミラーを用いた遊びを十分に行えるようになる効果がある。
【図面の簡単な説明】
【図１】本発明の一実施態様による、開状態のミラー玩具の正面図。
【図２】開状態のミラー玩具の背面図。
【図３】開状態のミラー玩具の側面断面図。
【図４】開状態のミラー玩具の側面断面図。
【図５】閉状態のミラー玩具の側面図。
【図６】ミラー玩具をプレイジムに吊り下げた状態を示す全体斜視図。
【図７】前記実施態様の作用効果を説明するための図。
【図８】前記実施態様の作用効果を説明するための図。
【符号の説明】
１            ミラー玩具
２          （第１の）ミラー
３            第１の保持体
４          （第２の）ミラー
５            第２の保持体
５ｃ          ストッパ部
６            支軸部（支持部）
７            ベルト通し（係止部）
８            係止フック（係止部）
１０          吊りベルト
２０          プレイジム（乳幼児用遊戯具）
２２，２３    脚部
２４          レール部
【図１】
0003604523.tif 000002
【図２】
0003604523.tif 000003
【図３】
0003604523.tif 000004
【図４】
0003604523.tif 000005
【図５】
0003604523.tif 000006
【図６】
0003604523.tif 000007
【図７】
0003604523.tif 000008
【図８】
0003604523.tif 000009